(57)【要約】  エアバッグ膨張システムに使用するためのエアバッグ係留綱の解除機構が開示される。１つの実施態様において、このメカニズムはハウジング内部に配置される開始装置を含む。開始装置は展開時に火工残留物の外部放出を防止するために固有のシールを与えるように構成される。この装置は開始装置の展開がカッターを作動するように開始装置と動作可能に接続されるカッター及びカッターの作動によって係留綱が解除されるまで係留綱を固定するように構成される係留綱拘束構造を含むこともできる。
2008543656.tif 000002
【特許請求の範囲】
【請求項１】
エアバッグ係留綱の解除機構であり、
ハウジングと、
前記ハウジング内に配置される開始装置であり、該開始装置が展開時に火工残留物の外部放出を防止するために固有のシールを与えるように構成される、開始装置と、
前記開始装置の展開がカッターを作動するように前記開始装置と動作可能に接続されるカッターと、
係留綱が前記カッターの作動によって解除されるまで前記係留綱を固定するように構成される係留綱拘束構造と、
を含む、エアバッグ係留綱の解除機構。
【請求項２】
前記係留綱拘束構造が前記ハウジング内部に形成される開口を含む、請求項１に記載のエアバッグ係留綱の解除機構。
【請求項３】
前記カッターが中に開口が形成されているピストンを含む、請求項２に記載のエアバッグ係留綱の解除機構。
【請求項４】
前記カッターが、前記開始装置の展開前に前記ハウジングの前記開口が前記ピストンの前記開口と少なくとも部分的に整合するように構成され、かつ、前記開始装置の展開後前記ピストンの前記開口が前記ハウジングの前記開口との整合から外れる、請求項３に記載のエアバッグ係留綱の解除機構。
【請求項５】
前記開始装置が展開中巻きを解いて伸長するリドローン端を有する出力カップを含む、請求項１に記載のエアバッグ係留綱の解除機構。
【請求項６】
前記カッターが切刃を含む、請求項１に記載のエアバッグ係留綱の解除機構。
【請求項７】
前記係留綱拘束構造がクリップを含む、請求項１に記載のエアバッグ係留綱の解除機構。
【請求項８】
前記クリップが前記ハウジング内に形成される凹部に嵌まり込むように構成される、請求項７に記載のエアバッグ係留綱の解除機構。
【請求項９】
前記カッターが前記開始装置の展開時に前記クリップの少なくとも一部を分断するように構成される、請求項７に記載のエアバッグ係留綱の解除機構。
【請求項１０】
エアバッグ係留綱を解除するための方法であり、
係留綱を拘束するステップであり、該ステップにおいて前記係留綱がエアバッグクッションに接続される、ステップと、
開始装置を展開するステップであり、該ステップにおいて、前記開始装置が外部に火工残留物を放出することなく展開される、ステップと、
カッターを作動するステップであり、該ステップにおいて、前記開始装置の前記展開が前記カッターを作動する、ステップと、
前記係留綱を解除するステップであり、該ステップにおいて、前記カッターの前記作動が前記係留綱を解除する、ステップと、
を含む方法。
【請求項１１】
前記係留綱を解除するステップが、前記カッターを切断するステップを含む、請求項１０に記載の方法。
【請求項１２】
前記開始装置が展開中巻きを解いて伸長するリドローン端を有する出力カップを含む、請求項１０に記載の方法。
【請求項１３】
前記係留綱を解除するステップが係留綱拘束構造を切断するステップを含む、請求項１０に記載の方法。
【請求項１４】
前記係留綱拘束構造がクリップを含む、請求項１３に記載の方法。
【請求項１５】
前記クリップが少なくとも１つのプロングを含む、請求項１４に記載の方法。
【請求項１６】
前記クリップが少なくとも２つのプロングを含む、請求項１５に記載の方法。
【請求項１７】
前記カッターが中に開口が形成されているピストンを含む、請求項１０に記載の方法。
【請求項１８】
前記作動ステップの前に、前記係留綱が前記ピストンの前記開口を通り抜けて伸びる、請求項１７に記載の方法。
【請求項１９】
前記ピストンの前記作動が前記ピストンの前記開口を別の開口と少なくとも部分的に不整合にする、請求項１８に記載の方法。
【請求項２０】
前記カッターが切刃を含む、請求項１０に記載の方法。
【請求項２１】
さらに前記開始装置の前記展開に応答して通気口の状態を変えるステップを含む、請求項１０に記載の方法。
【請求項２２】
前記通気口の状態を変えるステップが前記通気口を開くステップを含む、請求項２１に記載の方法。
【請求項２３】
前記通気口の状態を変えるステップが前記通気口を閉じるステップを含む、請求項２１に記載の方法。
【請求項２４】
連接棒が前記カッターと接続され、かつ、前記連接棒が前記通気口の状態を変えるために使用される、請求項２１に記載の方法。
【請求項２５】
通気扉が前記連接棒と接続される、請求項２４に記載の方法。
【請求項２６】
エアバッグ係留綱の解除機構であり、
ハウジングと、
エアバッグ係留綱を拘束するための拘束手段と、
前記ハウジング内部に配置される開始装置であり、該開始装置が展開時に火工残留物の外部放出を防止するために固有のシールを与えるように構成される、開始装置と、
前記拘束手段から前記係留綱を解除するための解除手段であり、該解除手段が前記開始装置によって作動される、解除手段と、
を含む、エアバッグ係留綱の解除機構。
【請求項２７】
前記解除手段がカッターを含む、請求項２６に記載のエアバッグ係留綱の解除機構。
【請求項２８】
前記カッターが切刃を含む、請求項２７に記載のエアバッグ係留綱の解除機構。
【請求項２９】
前記カッターが前記開始装置の展開時に前記係留綱を切断するように構成される、請求項２７に記載のエアバッグ係留綱の解除機構。
【請求項３０】
前記カッターが前記開始装置の展開時に前記拘束手段を切断するように構成される、請求項２７に記載のエアバッグ係留綱の解除機構。
【請求項３１】
前記拘束手段が前記ハウジングの開口を含む、請求項２６に記載のエアバッグ係留綱の解除機構。
【請求項３２】
前記拘束手段がクリップを含む、請求項２６に記載のエアバッグ係留綱の解除機構。
【請求項３３】
前記クリップが前記ハウジング内部に形成される凹部に嵌まり込むように構成される、請求項３２に記載のエアバッグ係留綱の解除機構。
【請求項３４】
前記開始装置が展開中巻きを解いて伸長するリドローン端を有する出力カップを含む、請求項３２に記載のエアバッグ係留綱の解除機構。
【請求項３５】
エアバッグ係留綱の解除機構であり、
ハウジングと、
前記ハウジング内部に配置される開始装置であり、該開始装置が展開時に火工残留物の外部放出を防止するために固有のシールを与えるように構成される、開始装置と、
前記開始装置の展開がピストンを作動するように前記開始装置と動作可能に接続されるピストンと、
係留綱が前記ピストンの作動によって解除されるまで前記係留綱を固定するように構成される係留綱拘束構造と、
前記開始装置の前記展開に応答して通気口の状態を変えるように構成されるベントアクチュエータと、
を含む、エアバッグ係留綱の解除機構。
【請求項３６】
前記ベントアクチュエータがピストンと接続される連接棒を含む、請求項３５に記載のエアバッグ係留綱の解除機構。
【請求項３７】
前記ベントアクチュエータがさらに前記連接棒と接続される通気扉を含む、請求項３６に記載のエアバッグ係留綱の解除機構。
【請求項３８】
さらにピン構造を含み、前記ピン構造が、前記ピストンが前記ハウジングから外へ出ないようにするために使用され、かつ、前記連接棒が前記ピン構造を通り越して前記ハウジングの外へ出る、請求項３６に記載のエアバッグ係留綱の解除機構。
【請求項３９】
前記ピン構造がスプリットスプリングピンを含む、請求項３８に記載のエアバッグ係留綱の解除機構。
【請求項４０】
前記ベントアクチュエータが前記通気口を開くことによって通気口の状態を変えるように構成される、請求項３５に記載のエアバッグ係留綱の解除機構。
【請求項４１】
前記ベントアクチュエータが前記通気口を閉じることによって前記通気口の状態を変えるように構成される、請求項３５に記載のエアバッグ係留綱の解除機構。
【請求項４２】
前記開始装置が展開中巻きを解いて伸長するリドローン端を有する出力カップを含む、請求項３５に記載のエアバッグ係留綱の解除機構。
【請求項４３】
前記ピストンがカッターを含む、請求項３５に記載のエアバッグ係留綱の解除機構。
【発明の詳細な説明】
【技術分野】
【０００１】
本発明は一般的に言って自動車用保護システムの分野に関するものである。特に、本発明はエアバッグクッションと接続される係留綱用の解除機構に関するものである。
【発明の開示】
【課題を解決するための手段】
【０００２】
エアバッグ膨張システムに使用されるためのエアバッグ係留綱の解除機構の実施態様について下に説明する。１つの実施態様において、このメカニズムはハウジング内に配置される開始装置を含む。開始装置は、展開時の火工残留物の外部放出を防止するために固有のシールを与えるように構成される。装置は、開始装置の展開がカッターを作動するように開始装置と動作可能に接続されるカッター、及び係留綱がカッターの作動によって解除されるまで係留綱を固定するように構成される係留綱拘束構造を含むことができる。
【発明を実施するための最良の形態】
【０００３】
図面は本発明の典型的な実施態様しか示しておらず、従って本発明の範囲を限定するものと見なされるべきではないことを理解した上で、添付図面を使用してさらに明確にかつ詳細に本発明について説明する。
【０００４】
次に添付図面を参照しながら本発明の実施態様についてさらに詳しく説明する。図１及び２Ａ−２Ｂには係留綱の解除機構１００が示されている。係留綱の解除機構１００はハウジング１１０内部に配置される開始装置１０５を含む。非閃光性でかつ非推進性であるように開始装置を構成することができる。言い換えると、開始装置１０５は閃光を発さず、遊離部品（係留綱以外の装置を離れる部品または同様の放出品例えばボルト）を持たない。開始装置１０５は展開時の火工残留部の外部（開始装置の外部）放出を防止するために固有のシールを備える。従って、ハウジングの中で開始装置を密閉し推進及び閃光を防止するためにＯリングを使用する必要がない。このことも、装置を小さい限定的危険のカテゴリーに分類できるようにするので有利であろう。当業者には判る通り、火工技術またはその他によって開始装置１０５を起動することができる。
【０００５】
開始装置１０５はリドローン端（redrawn end）を持つ出力カップを持つので上述の固有のシールが得られる。言い換えると、開始装置１０５の端は内側に巻き込まれ、展開中「巻きが解けて」、伸長し、それによって本明細書において説明されるカッターを作動するのに必要な力を与える。この「リドローン」開始装置については、「伸長式反応性装薬格納アクチュエータ装置を含むアセンブリ」と題する２００３年１２月５日に提出された同時係属米国特許出願第１０／７２９，７０２号においてさらに詳しく開示され説明されている。この種の開始装置の他の実施態様は、「伸長式反応性装薬格納アクチュエータ装置を含む装置」と題する、本出願と同日に提出された同時係属米国特許出願第＿＿＿＿＿号においてさらに詳しく開示され説明されている。これら２つの出願の開示は参照によりその全体が本明細書に組み込まれる。
【０００６】
インフレータモジュールの裏面に係留綱の解除機構１００を取り付けることができる。図１の係留綱５０はハウジング１１０内部に形成される開口１１５を通り抜けて伸びる。切刃１２１を有するカッター１２０は動作可能に開始装置１０５と接続される。これによって下に説明する通り開始装置１０５の展開はカッター１２０を作動できる。
【０００７】
カッター１２０は、図２Ａ−２Ｂから判る通り、ハウジング１１０に形成されるカッター用スロット１２２内部をスライド可能である。カッター１２０は、図２Ａに示される通り開口１１５に隣接するポジションから図２Ｂに示される通り少なくとも部分的に開口１１５と一致するポジションまで移動できるように構成され、配置される。開始装置１０５が展開されたら、カッター１２０は、カッターが開口１１５の中まで伸びそれによって切刃が係留綱５０を切断できるように、作動される、すなわちハウジング１１０内部を軸方向に移動する。図１及び２Ａ−２Ｂに示される実施態様において、開口１１５は、係留綱５０がカッター１２０の作動によって解除されるまで係留綱を固定するように構成される係留綱拘束構造を含む。
【０００８】
カッター１２０に閾値の力が加えられた後に始めてスライド可能であるようにカッター１２０をカッター用スロット１２２内に配置することができる。例えば、カッターが開口１１５までスライドする前に閾値の摩擦量を超えなければならないようにカッター１２０をカッター用スロット１２２内にぴったりと配置することができる。このようにして、カッター１２０の意図せぬ変位を防止するかまたは少なくとも最小限にこれを抑えることができる。一部の実施態様においては、開始装置によって与えられる力より僅かに低い力がカッター１２０を動かすために必要とされるように装置を構成することが望ましい場合がある。
【０００９】
本発明の第二の実施態様が図３Ａ−３Ｂに示されている。係留綱の解除機構２００はハウジング２１０内部に配置される開始装置２０５を含む。前の図面で示される実施態様の開始装置１０５と同様、開始装置２０５は、非閃光性でかつ非推進性であるように構成される。従って、開始装置２０５は閃光を発さず、展開時にこれが推進する遊離部品を持たない。開始装置２０５は、また、展開時に火工残留物の外部放出を防止するために固有のシールを備える。
【００１０】
ハウジング２１０は、この場合も、その中に形成されかつハウジングの一方の側から多様の側まで伸びて、係留綱がカッター２２０の作動によって解除されるまで係留綱を固定するように構成される係留綱拘束構造として役立つ開口２１５を有する。この実施態様において、カッター２２０は切刃を含まない。その代わりに、カッター２２０は、その中に開口２２５が形成されているピストンを含む。ピストン２２０はハウジング２１０内部の円筒形スロット２２２の中に配置され、スロット２２２内部でスライド可能であるように構成される。スロット２２２内部でピストン２２０がスライドするために閾値レベルの力が必要とされるようにスロット２２２を形成するハウジング２１０の部分内部にピストン２２０を摩擦嵌めすることができる。ピストン２２０は、開始装置２０５の展開前にハウジング２１０の開口２１５がピストン２２０の開口２２５と整合するように構成され、開始装置２０５の展開後ピストン２２０の開口２２５は移動してハウジング２１０の開口２１５との整合から外れる。
【００１１】
係留綱（図には示されていない）を整合された開口２１５と２２５に通すことができる。開始装置２０５が展開すると、ピストン２２０に加わる力は２つの開口を不整合にする。係留綱を分断するためにスロット２２２内部におけるピストン２２０のスライドから生じるせん断力を使用することができる。もちろん、多くの代替形態が可能である。例えば、開口２２５を形成するピストン２２０の部分を鋭利にして、係留綱の切断を容易にすることができる。希望する場合には係留綱を切断するために切刃を備えることもできる。さらに別の代替形態として、一部の実施態様においては、ハウジングの相対する側に異なるサイズの開口を配備することが望ましいかも知れない。これによって、開口の一方の側（ハウジングの開口のエッジとピストンの開口のエッジが最初に接触する側）でのみ係留綱を切断することができる。この種の形態の例は図７Ａ及び７Ｂの実施態様において見られる。
【００１２】
本発明のさらに別の実施態様が図４Ａ−４Ｂに示されている。係留綱の解除機構３００は、この場合にもハウジング３１０内部に配置される開始装置３０５を含む。開始装置３０５は非閃光性でかつ非推進性なので、閃光を発さず、展開時にこれが推進する遊離部品を持たない。開始装置３０５も展開時に火工残留物の外部放出を防止するために固有のシールを備える。
【００１３】
係留綱の解除機構３００は係留綱拘束構造３１５を含む。この実施態様において係留綱拘束構造３１５はクリップを含む。クリップ３１５はハウジング３１０内部に形成される凹部３１６に嵌まり込むように構成される。クリップ３１５は、曲がって凹部３１６内部に嵌まり込むように多少の可撓性を持つ２つのプロング３１７を有する。しかし、１つのプロングのみを含む実施態様が想定されることが判るはずである。クリップ３１５は、また、係留綱５０を固定するように構成される。この実施態様においては、係留綱５０はクリップ３１５の端３１８の開口で輪を作る。
【００１４】
クリップ３１５は、係留綱５０がカッター３２０の作動によって解除されるまで係留綱５０を固定するように構成される。開始装置３０５からの展開力をカッターへ転換できるようにカッター３２０は開始装置３０５に隣接して配置される。カッター３２０は、ハウジング３１０内部に形成されるスロット３２２内部でスライド可能である。開始装置３０５が展開されると、図４Ｂに示される通りカッター３２０はクリップ３１５のプロング３１７を分断し、それによって係留綱５０を解除するように構成される。
【００１５】
係留綱を拘束し、カッターを作動する開始装置を展開し、カッターを作動することによって係留綱を解除するために上に説明される実施態様のいずれでも使用することができる。図１−３Ｃに示される実施態様に場合のようにハウジングの開口によって、図４Ａ−４Ｂに示される実施態様の場合のようにクリップによって、またはこの開示が暗示するまたは当業者が利用可能な他の同様の構造によって、係留綱を拘束することができる。上記のものの各々がエアバッグ係留綱を拘束するための拘束手段の例である。
【００１６】
図１−２Ｂ及び４Ａ−４Ｂにおいて示される実施態様の場合のように切刃を使って、せん断力を与えるように中に穴が形成されているピストンによって、またはこの開示が暗示するまたは当業者に利用可能な他の同様の構造によって、係留綱を解除することができる。上記のものの各々が拘束手段から係留綱を解除するための解除手段の例である。係留綱を直接切断することによって係留綱を解除することができる。その代わりに、係留綱を拘束する係留綱拘束構造を切断することによって係留綱を解除することができる。
【００１７】
本発明の様々な実施態様に関連して使用するための「リドローン」開始装置の１つの実施態様が図５に示されている。上述の通り、開始装置４００は、展開時に火工残留物の外部放出を防止するために固有のシールを与えるように構成される。開始装置４００は伸長式の開始装置カップ４１０、装薬４２０、及び２つの電気コネクタ４２２及び４２４を含む。
【００１８】
伸長式開始装置カップ４１０は展開前に折り込まれるまたは内側に巻き込まれる。装薬４２０の展開時に、開始装置カップ４１０は少なくとも部分的に巻きが解かれまたは伸び、それによって開始装置カップ４１０を伸長させ（図５において点線で示される通り）、カッターまたはその種の他の装置を作動するために使用できる力を与える。閃光、スパークまたはその他の火工残留物の外部放出なしに開始装置４００を通じてこの力を与えることができる。
【００１９】
展開時に、反応性装薬４２０は反応して、伸長式開始装置カップ４１０を第一の長さから第二の長さへ伸長させることができる反応生成物を生じる。この場合、第二の長さは第一の長さより大きい。当業者には判る通り、反応性装薬４２０は、電気コネクタ４２２及び４２４を通じて導入される電流によって作動できる火工品など１つまたはそれ以上の既知の反応性装薬材料を含む。装薬４２０は、例えば、混合された燃料スラリーと酸化剤スラリーを含むことができる。技術上既知でかつ本発明の開始装置において有益な反応性装薬はジルコニウム及び過塩素酸カリウム（ＺＰＰ）を含む混合物を含む。
【００２０】
伸長式開始装置カップ４１０は、装薬４２０から放出される反応生成物が貯蔵室４２６から漏出せず、従って開始装置カップ４１０を伸長させるために利用可能であるように、貯蔵室４２６の周りで密封されることが望ましい。これによって、展開時に火工残留物の外部放出を防止するための固有のシールが開始装置に与えられる。軽量のかつ（または）薄い材料で伸長式開始装置カップ４１０を構成することができる。伸長式開始装置カップの１つの実施態様において、カップは、例えばステンレス鋼など金属で構成される。当業者には判る通り、伸長式開始装置カップの製造に使用されるサイズ、形状、形態及び材料は、希望の用途に応じて変わり得る。同様に、伸長式開始装置カップを伸長させるために与えられる反応性装薬の量は、例えば使用される反応性装薬のタイプ、貯蔵室のサイズ並びに伸長式開始装置カップのストローク、構造及び材料に応じて変わり得る。希望の成果及び形態に従ってこれらのパラメータを変動させることは、本明細書に示される開示を読めば当業者には明らかであろう。
【００２１】
当業者は、図５に示される実施態様は内側に折り込まれる開始装置カップを含むが、他の折りも利用可能であり、本発明の実施態様に関連して使用するのに適することが判るだろう。例えば、他の実施態様においては側面でアコーディオン式に折り曲げたり、波状を含んだりすることができる。さらに他の実施態様は複数の折りを含み、その一部はカップを内側に折り込み、他は展開方向に対して側方にまたはその他の方法でカップを折る。反応性装薬の起爆の結果生じる反応生成物は、波及び／または折りを少なくとも部分的に広げ、平らにしかつ／または伸ばすことによって伸長式開始装置カップを伸長させることができる。
【００２２】
本発明のさらに別の実施態様が図６Ａ−７Ｂに示されている。係留綱の解除機構５００はハウジング５１０内部に配置される開始装置５０５（図７Ａ及び７Ｂを参照のこと）を含む。開始装置５０５は非閃光性でありかつ非推進性なので、閃光を発さずかつ展開時にこれが推進する遊離部品を持たない。また、開始装置５０５は展開時に火工残留物の外部放出を防止するために固有のシールを備える。
【００２３】
係留綱の解除機構５００は、係留綱拘束構造５１５を含み、この実施態様においては、拘束構造はハウジング５１０内部に形成される開口５１５を含む。係留綱の解除機構５００はさらにピン構造５１９を含み、この実施態様においてピン構造はスプリットスプリングピン５１９を含む。スプリットスプリングピン５１９の機能については下でさらに詳しく説明する。
【００２４】
図７Ａ及び７Ｂの断面図に示される通り、係留綱の解除機構は、中に開口５２５が形成されているピストンを含むカッター５２０を含む。ピストン５２０はハウジング５１０内部の円筒形スロット５２２内に配置され、スロット５２２内部でスライド可能であるように構成される。開始装置カップ５１１の巻きを解いて伸長させる力をピストン５２０に伝えることができるようにピストン５２０の一端は開始装置５０５のリドローン部（伸長式開始装置カップ５１１）に隣接して配置される。
【００２５】
これまでに説明したいくつかの実施態様と同様、ピストンは、開始装置５０５の展開前にハウジング５１０の開口がピストン５２０の開口５２５と整合するように構成され、開始装置５０５の展開後ピストン５２０の開口５２５はハウジング５１０の開口５１５との整合から外れる。従って、整合された開口５１５と５２５に係留綱５０を通すことができる。開始装置の展開時に、ピストンに加えられる力は２つの開口を不整合にする。係留綱５０を分断するために、スロット５２２内部でのピストン５２０のスライドから生じるせん断力を使用することができる。
【００２６】
これまでに開示した実施態様と異なり、係留綱の解除機構５００はベントアクチュエータ５３０を含む。ベントアクチュエータ５３０は開始装置５０５の展開に応答して通気口の状態を変えるように構成される。言い換えるとベントアクチュエータ５３０は開始装置５０５の展開に応答して通気口を開閉するように構成される。
【００２７】
ベントアクチュエータ５３０は連接棒５３２を含む。連接棒５３２はピストン５２０の遠位端（開始装置５０５に対して）でピストン５２０に取り付けられる。スリットスプリングピン５１９はピストン５２０がハウジング５１０から出ないようにする。一方、連接棒５３２は、少なくとも部分的にハウジング５１０の外に出られるように小さい直径を持つのでスプリットスプリングピン５１９を通り越すことができる。ピストン５２０に取り付けられる端と反対側の連接棒５３２の端において、通気扉５３５が連接棒５３２と接続される。インフレータハウジング、エアバッグクッションまたはその他の部分の通気口を選択的に遮断／遮断解除するために通気扉５３５を使用することができる。
【００２８】
例えば、図７Ａに示される通り、通気扉５３５は、開始装置５０５の展開前は通気口６０を遮断している。開始装置５０５の展開後、係留綱５０は切断され、同時に通気扉５３５は図７Ｂに示される通り通気口６０から離れるので、通気口６０の位置及びエアバッグモジュールの他の特徴に応じて膨張ガスが通気口６０から出られるまたはこれへ入れるようにする。もちろん、開始装置と動作可能に接続される通気扉またはその他の構造が開始装置の展開に応答して通気口を閉じる他の実施態様も想定される。
【００２９】
特に苦労することなく、当業者は以上の説明を用いて本発明を十二分に利用することができると思われる。本明細書において開示される例及び実施態様は単なる例示であり、決して本発明の範囲を限定するものとして解釈されるものではない。本発明の基本原理から逸脱することなく上述の実施態様の細部に変更を加えることができることが、当業者には明らかであろう。言い換えると、上の説明において特に開示される実施態様の様々な修正及び改良は特許請求の範囲内にある。従って、本発明の範囲は特許請求の範囲によって定義される。
【図面の簡単な説明】
【００３０】
【図１】エアバッグ係留綱の解除機構の１つの実施態様の斜視図である。
【図２Ａ】図１に示される実施態様の断面図である。
【図２Ｂ】図１及び２Ａに示される実施態様の断面図であり、カッターが係留綱を切断して解除した後が示されている。
【図３Ａ】エアバッグ係留綱の解除機構の第二の実施態様の斜視図である。
【図３Ｂ】ピストンの開口がハウジングの開口と部分的に不整合になった後の、図３Ａに示される実施態様の斜視図である。
【図３Ｃ】ピストンの開口がハウジングの開口と完全に不整合になった後の、図３Ａ及び３Ｂに示される実施態様の斜視図である。
【図４Ａ】エアバッグ係留綱の解除機構の第三の実施態様の斜視図である。
【図４Ｂ】カッターが係留綱を解除するためにクリップを切断した後の、図４Ａに示される実施態様の斜視図である。
【図５】開示される発明の実施態様に使用するのに適するリドローン開始装置（redrawn initiator）の断面図である。
【図６Ａ】エアバッグ係留綱の解除機構の別の実施態様の斜視図である。
【図６Ｂ】図６Ａに示される実施態様の上面図である。
【図６Ｃ】図６Ａ及び６Ｂに示される実施態様の側面図である。
【図７Ａ】開始装置の展開前の図６Ａの線７Ａ−７Ｂに沿って見た断面図である。
【図７Ｂ】開始装置の展開後の図７Ａと同様の断面図である。
【図１】
2008543656.tif 000003
【図２Ａ】
2008543656.tif 000004
【図２Ｂ】
2008543656.tif 000005
【図３Ａ】
2008543656.tif 000006
【図３Ｂ】
2008543656.tif 000007
【図３Ｃ】
2008543656.tif 000008
【図４Ａ】
2008543656.tif 000009
【図４Ｂ】
2008543656.tif 000010
【図５】
2008543656.tif 000011
【図６Ａ】
2008543656.tif 000012
【図６Ｂ】
2008543656.tif 000013
【図６Ｃ】
2008543656.tif 000014
【図７Ａ】
2008543656.tif 000015
【図７Ｂ】
2008543656.tif 000016
【国際調査報告】
2008543656.tif 000017